【手続補正書】
【提出日】平成26年12月2日(2014.12.2)
【手続補正１】
【補正対象書類名】特許請求の範囲
【補正対象項目名】全文
【補正方法】変更
【補正の内容】
【特許請求の範囲】
【請求項１】
津波の来襲に対して沿岸地帯に住んでいる住民等の生命を護るための避難路、避難所及び津波の襲来を報せ、避難勧告をする警報手段と、住民等の財産及び生命を護るための防潮堤とを有する津波防災システムにおいて、
前記防潮堤は所定の高さの堤体を有し、該堤体の下端部に人又は車の通行するゲート用開口を設け、かつ、越流した海水を放出する放水用開口を該堤体の上下方向に複数個を設け、該ゲート用開口及び放水用開口に遠隔操作による開閉可能な扉体及び該扉体を制御する制御装置を設け、操作指令により該ゲート用開口及び該放水用開口の開閉を制御可能にしたことを特徴とする津波防災システム。
【請求項２】
前記堤体の所定の高さは、津波が堤体を越えて流入した場合に、該堤体の陸側にある住宅等の建物に回復が困難な重大な被害を与えない高さとしたことを特徴とする請求項１に記載の津波防災システム。
【請求項３】
前記操作指令は、津波襲来前又は津波の襲来が予想された時に前記全開口を一括して閉鎖する強制的な閉指令及び津波が引いた後に前記防潮堤を越流した海水の戻り速度を一定速度以下に制御する開指令を含むことを特徴とする請求項１に記載の津波防災システム。
【請求項４】
前記防潮堤は前記堤体の天端部の上面に歩道または車道を設け、該天端部の両縁部に人または車の落下を防止するための防止柵を設け、該落下防止柵は該堤体の天端高さを超える津波の来襲時には海側域で浮遊して漂流する漂流物が陸側域内へ流入するのを防止し、津波の引き波時には陸側域内で浮遊して漂流する漂流物や人間が漂流して海側域に流出するのを防止するように構成したことを特徴とする請求項１〜請求項３の何れか１に記載の津波防災システム。
【請求項５】
前記防潮堤の海側域及び陸側域に存在し、津波によって漂流物となる可能性のある車両等を漂流しないようにする漂流防止手段を具備し、該車両の漂流防止手段は、駐車場に駐車している車両が津波水により浮上して漂流しないように、津波水の来襲する正面及びその両側に堅固な壁体を設け、該壁体に弾性体からなる屋根を低い位置に設けたことを特徴とする請求項１〜請求項４の何れか１に記載の津波防災システム。
【手続補正２】
【補正対象書類名】明細書
【補正対象項目名】０００６
【補正方法】変更
【補正の内容】
【０００６】
請求項１に記載の発明は、津波の来襲に対して沿岸地帯に住んでいる住民等の生命を護るための避難路、避難所及び津波の襲来を報せ、避難勧告をする警報手段と、住民等の財産及び生命を護るための防潮堤とを有する津波防災システムにおいて、
前記防潮堤は所定の高さの堤体を有し、該堤体の下端部に人又は車の通行するゲート用開口を設け、かつ、越流した海水を放出する放水用開口を該堤体の上下方向に複数個を設け、該ゲート用開口及び放水用開口に遠隔操作による開閉可能な扉体及び該扉体を制御する制御装置を設け、操作指令により該ゲート用開口及び該放水用開口の開閉を制御可能にしたことを特徴とする。
【手続補正３】
【補正対象書類名】明細書
【補正対象項目名】００１０
【補正方法】変更
【補正の内容】
【００１０】
請求項４の発明は、請求項１〜請求項３の発明において、前記防潮堤は前記堤体の天端部の上面に歩道または車道を設け、該天端部の両縁部に人または車の落下を防止するための防止柵を設け、該落下防止柵は該堤体の天端高さを超える津波の来襲時には海側域で浮遊して漂流する漂流物が陸側域内へ流入するのを防止し、津波の引き波時には陸側域内で浮遊して漂流する漂流物や人間が漂流して海側域に流出するのを防止するように構成したことを特徴とする。
【手続補正４】
【補正対象書類名】明細書
【補正対象項目名】００１１
【補正方法】変更
【補正の内容】
【００１１】
請求項５の発明は、請求項１〜請求項４の発明において、前記防潮堤の海側域及び陸側域に存在し、津波によって漂流物となる可能性のある車両等を漂流しないようにする漂流防止手段を具備し、該車両の漂流防止手段は、駐車場に駐車している車両が津波水により浮上して漂流しないように、津波水の来襲する正面及びその両側に堅固な壁体を設け、該壁体に弾性体からなる屋根を低い位置に設けたことを特徴とする。
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】削除
【補正の内容】
【手続補正１３】
【補正対象書類名】明細書
【補正対象項目名】００２０
【補正方法】削除
【補正の内容】
【手続補正１４】
【補正対象書類名】明細書
【補正対象項目名】００２１
【補正方法】削除
【補正の内容】
【手続補正１５】
【補正対象書類名】明細書
【補正対象項目名】００２２
【補正方法】削除
【補正の内容】
【手続補正１６】
【補正対象書類名】明細書
【補正対象項目名】００２３
【補正方法】削除
【補正の内容】
【手続補正１７】
【補正対象書類名】明細書
【補正対象項目名】００２４
【補正方法】削除
【補正の内容】
【手続補正１８】
【補正対象書類名】明細書
【補正対象項目名】００２５
【補正方法】削除
【補正の内容】
【手続補正１９】
【補正対象書類名】明細書
【補正対象項目名】００２６
【補正方法】削除
【補正の内容】
【手続補正２０】
【補正対象書類名】明細書
【補正対象項目名】００２７
【補正方法】削除
【補正の内容】
【手続補正２１】
【補正対象書類名】明細書
【補正対象項目名】００２８
【補正方法】削除
【補正の内容】
【手続補正２２】
【補正対象書類名】明細書
【補正対象項目名】００２９
【補正方法】削除
【補正の内容】
【手続補正２３】
【補正対象書類名】明細書
【補正対象項目名】００３０
【補正方法】削除
【補正の内容】
【手続補正２４】
【補正対象書類名】明細書
【補正対象項目名】００３１
【補正方法】削除
【補正の内容】
【手続補正２５】
【補正対象書類名】明細書
【補正対象項目名】００３２
【補正方法】変更
【補正の内容】
【００３２】
請求項１〜請求項３の発明によれば、津波の引き波後に越流した海水の放水速度を制御することにより、住居等の建物類の崩壊、流失を防止することができるという効果が得られる。この結果、住民は安心して避難できるという効果が得られる。また、請求項２、請求項３の発明によれば、津波高さが防潮堤を越えない場合には津波による被害から完全に守られるという効果が得られ、津波高さが防潮堤を越える場合であっても避難することにより住民の生命だけは守られるという効果が得られる。
【手続補正２６】
【補正対象書類名】明細書
【補正対象項目名】００３３
【補正方法】変更
【補正の内容】
【００３３】
請求項４の発明によれば、天端高さを超える津波の来襲時には海側域で浮遊して漂流する漂流物が陸側域内へ流入するのを防止し、津波の引き波時には陸側域内で浮遊して漂流する漂流物や人間が漂流して海側域に流出するのを防止して、津波による被害を軽減する効果を有すると共に、防潮堤の本来の機能の他に観光用としての効果も有する。また、請求項５の発明によれば、自動車等の発火しやすい漂流物を浮上させないように固定することにより被害を軽減するという効果が得られる。